(57)【要約】【課題】  写真プリントの仕上がりを待つ顧客の待たされ感を低減することができると共に、オペレータの負担を軽減する。【解決手段】  排出口から排出される写真プリントについて、プリントされている画像に係る注文番号が、直前に排出された写真プリントに係る注文番号と同一か否かが判断される（Ｓ３１０）。注文番号が同一でないと判断された場合には（Ｓ３１０：ＮＯ）、以前に排出した写真プリントに係る注文番号に同一のものがあるか否かが判断される（Ｓ３１１）。注文番号が同一のものがないと判断された場合には（Ｓ３１１：ＮＯ）、写真プリントが載置されていないトレイが受取位置に移動される。（Ｓ３１２）。注文番号が同一のものがあると判断された場合には（Ｓ３１１：ＹＥＳ）、その注文番号に対応する写真プリントが載置されているトレイが受取位置に移動される。（Ｓ３１３）。【選択図】        図１８
2006276546.tif 000002
【特許請求の範囲】
【請求項１】
写真プリントの注文を受け付け、写真プリントを作成するプリントシステムであって、
記録媒体に記録されている複数の画像データファイルを読み出すための読み出し部と、
前記読み出し部によって読み出された複数の前記画像データファイルに係る複数の画像のうち少なくとも１つの画像を含む注文画面を表示するディスプレイと、
前記ディスプレイに表示されている画像に係るプリント枚数を含む注文情報を入力するための入力部と、
前記ディスプレイに表示され且つプリント枚数を１枚以上とする注文情報が付与された一又は複数の画像のうちの少なくとも１つの画像の写真プリントが、プリント枚数を１枚以上とする注文情報が付与された前記一又は複数の画像に対する注文が確定されるよりも前に作成されるように制御するプリント制御手段と
少なくとも前記入力部によってプリント枚数を１以上とする注文情報が付与された画像に係る画像データファイルに対して、一括注文された複数の画像データファイルに共通の番号を付与する番号付与手段と、
作成された写真プリントが載置される複数の載置個所が設けられた仕分け機構と、
前記番号付与手段によって付与された番号に基づいて、一括注文された複数の画像データファイルに係る複数の写真プリントが同一の前記載置個所に載置され、且つ互いに異なる一括注文に係る複数の写真プリントがそれぞれ別の前記載置個所に載置されるように前記仕分け機構を制御する仕分け制御手段とを有していることを特徴とするプリントシステム。
【請求項２】
前記仕分け制御手段が、前記番号付与手段によって付与された番号に基づいて、作成された写真プリントに係る番号について、直前に前記載置個所に載置された写真プリントに係る番号と同一であるか否かを判断する仕分け判断手段を有しており、
前記仕分け機構が、前記仕分け判断手段の判断に基づいて複数の写真プリントを仕分けることを特徴とする請求項１に記載のプリントシステム。
【請求項３】
前記仕分け制御手段が、前記番号付与手段によって付与された番号に基づいて、作成された写真プリントに係る番号について、直前に前記載置個所に載置された写真プリントに係る番号と同一であるか否か、且つ、以前に前記載置個所に載置された写真プリントに係る番号に同一のものがあるか否かを判断する仕分け判断手段を有しており、
前記仕分け機構が、前記仕分け判断手段の判断に基づいて複数の写真プリントを仕分けることを特徴とする請求項１に記載のプリントシステム。
【請求項４】
前記仕分け機構が、
複数の前記載置個所となりうる移動可能な複数のトレイと、
複数の前記トレイを、第１の位置から前記第１の位置と離隔した前記第２の位置に向かう方向、または前記第１の位置から前記第１の位置に対して前記第２の位置と反対側の第３の位置に向かう方向にそれぞれ移動させる移動機構とをさらに備えており、
前記移動機構が、前記仕分け判断手段の判断に基づいて複数の前記トレイを移動させることを特徴とする請求項２または３に記載のプリントシステム。
【請求項５】
前記仕分け機構が、
作成された写真プリントを、水平面内にある第１の方向及びこれとは逆方向である第２の方向のいずれかに向けて選択的に搬送するコンベアと、
前記コンベアを駆動するコンベア駆動機構とを備えており、
複数の前記載置個所が、前記コンベアによって前記第１の方向に搬送される写真プリントを受け取り可能な位置と、前記第２の方向に搬送される写真プリントを受け取り可能な位置とにそれぞれ設けられており、
前記コンベア駆動機構が、前記仕分け判断手段の判断に基づいて前記コンベアによる写真の搬送方向を切り換えることを特徴とする請求項２に記載のプリントシステム。
【請求項６】
作成された写真プリントが排出される一又は複数の排出口に繋がる一又は複数の搬送経路に沿って用紙を搬送する搬送機構をさらに有しており、
前記仕分け機構が、
複数の前記排出口に繋がる複数の前記搬送経路のいずれかに、用紙が搬送される前記搬送経路を切り換える切換機構をさらに備えており、
前記切換機構が、前記仕分け判断手段の判断に基づいて搬送経路を切り換えることを特徴とする請求項２または３に記載のプリントシステム。
【発明の詳細な説明】
【技術分野】
【０００１】
本発明は、写真プリントの注文を受け付け、写真プリントを作成するプリントシステムに関する。
【背景技術】
【０００２】
近年、ＤＰ店の店頭に設置されており、顧客から写真プリントの注文を受け付けるプリント注文受付装置と、ＤＰ店の店内に設置されていると共に、データ伝送ネットワークによってプリント注文受付装置と接続されており、プリント注文受付装置から送信された注文内容に基づいて写真プリントを作成する写真処理装置とから構成されるプリントシステムが知られている（特許文献１参照）。
【０００３】
係るプリントシステムに備えられるプリント注文受付装置は、タッチパネル式のディスプレイを有している。そして、顧客が自ら持参した画像データファイルが記憶されたメディアをプリント注文受付装置にセットすると、当該メディアに記憶された画像データファイルに対応するサムネイル画像がディスプレイに表示される。顧客は、ディスプレイに表示されたサムネイル画像を確認し、タッチパネルを介して、当該画像の補正値やプリント枚数等の注文情報を入力することが可能となっている。
【特許文献１】特開２００３−１２１９４６号公報
【発明の開示】
【発明が解決しようとする課題】
【０００４】
上述のようなプリント注文受付装置と写真処理装置とからなるプリントシステムでは、顧客がメディアに記憶された全ての画像データファイルに対してプリント注文情報の入力を終え、注文の確定を行った後、写真処理装置が当該画像データファイル及びプリント注文情報を取得する。つまり、全ての画像データファイルに係るプリントの注文が確定された後、写真処理装置におけるプリント処理が開始される。ここで、写真処理装置において、プリント処理を開始してから１枚目の写真プリントが仕上がるまでには、約１０分程度かかる。したがって、顧客は、プリントの注文を終えた後、１枚目の写真プリントが仕上がるまで１０分程度待たされた後、さらに全ての写真プリントが仕上がるまで数十分程度待たされる。
【０００５】
また、係るプリントシステムでは、写真処理装置に接続された複数台のプリント注文受付装置から送信された画像データファイルのプリント処理を並列して行う場合や、プリント注文受付装置から送信された画像データファイルのプリント処理と、写真処理装置に備えられたフィルムスキャナから取り込まれた画像データファイルのプリント処理とを並列して行う場合がある。このような場合に、写真処理装置において各オーダーを一括して処理せずに、１つのオーダーの処理の間に別のオーダーの処理を行うと、写真処理装置から排出される写真プリントが、オーダー毎に連続して排出されず、複数のオーダーに係る写真プリントが混在した状態で排出される。したがって、排出された写真プリントを手作業でオーダー毎に仕分けなければならず、写真処理装置のオペレータの負担が増大するという問題がある。
【０００６】
そこで、本発明の目的は、写真プリントの仕上がりを待つ顧客の待たされ感を低減することができると共に、オペレータの負担を軽減することができるプリントシステムを提供することである。
【課題を解決するための手段及び効果】
【０００７】
本発明のプリントシステムは、写真プリントの注文を受け付け、写真プリントを作成するプリントシステムであって、記録媒体に記録されている複数の画像データファイルを読み出すための読み出し部と、前記読み出し部によって読み出された複数の前記画像データファイルに係る複数の画像のうち少なくとも１つの画像を含む注文画面を表示するディスプレイと、前記ディスプレイに表示されている画像に係るプリント枚数を含む注文情報を入力するための入力部とを有している。さらに、本発明のプリントシステムは、前記ディスプレイに表示され且つプリント枚数を１枚以上とする注文情報が付与された一又は複数の画像のうちの少なくとも１つの画像の写真プリントが、プリント枚数を１枚以上とする注文情報が付与された前記一又は複数の画像に対する注文が確定されるよりも前に作成されるように制御するプリント制御手段と、少なくとも前記入力部によってプリント枚数を１以上とする注文情報が付与された画像に係る画像データファイルに対して、一括注文された複数の画像データファイルに共通の番号を付与する番号付与手段と、作成された写真プリントが載置される複数の載置個所が設けられた仕分け機構と、前記番号付与手段によって付与された番号に基づいて、一括注文された複数の画像データファイルに係る複数の写真プリントが同一の前記載置個所に載置され、且つ互いに異なる一括注文に係る複数の写真プリントがそれぞれ別の前記載置個所に載置されるように前記仕分け機構を制御する仕分け制御手段とを有している。
【０００８】
なお、本発明において、「注文が確定される」とは、単に注文画面の切換操作が行われることを意味するのではなく、顧客が写真プリントを発注するための最終的な操作が行われることを意味するとする。
【０００９】
この構成によると、プリント枚数を１以上とする注文情報が付与された一又は複数の画像に対する注文が確定された後、写真プリントの作成を開始する場合と比べて、１枚目の写真プリントが早く仕上がる。これにより、顧客は、１枚目の写真プリントを早く手にすることができる。また、顧客は、残りの写真プリントが仕上がるまでの間、既に仕上がった写真プリントを観賞しながら待つことができる。その結果、写真プリントの仕上がりを待つ顧客の待たされ感を低減することができる。
【００１０】
また、顧客が一括注文する複数の画像データファイルのプリント処理が連続して行われず、プリント制御手段の制御により順次写真プリントが作成される画像データファイルのプリント処理の間に、別の注文に係るプリント処理が行われた場合でも、一括注文された複数の画像データファイルに係る複数の写真プリントが同一の載置個所に、しかも互いに異なる一括注文に係る複数の写真プリントがそれぞれ別の載置個所に載置される。したがって、排出された写真プリントを手作業でオーダー毎に仕分ける必要がないので、写真プリントを顧客に受け渡すオペレータの負担を軽減することができる。
【００１１】
本発明のプリントシステムでは、前記仕分け制御手段が、前記番号付与手段によって付与された番号に基づいて、作成された写真プリントに係る番号について、直前に前記載置個所に載置された写真プリントに係る番号と同一であるか否かを判断する仕分け判断手段を有しており、前記仕分け機構が、前記仕分け判断手段の判断に基づいて複数の写真プリントを仕分けてもよい。
【００１２】
この構成によると、プリントシステムにおいて、２つのオーダーを並列して処理する場合に、写真プリントを２つの載置個所にオーダー毎に仕分けることができる。
【００１３】
本発明のプリントシステムは、前記仕分け制御手段が、前記番号付与手段によって付与された番号に基づいて、作成された写真プリントに係る番号について、直前に前記載置個所に載置された写真プリントに係る番号と同一であるか否か、且つ、以前に前記載置個所に載置された写真プリントに係る番号に同一のものがあるか否かを判断する仕分け判断手段を有しており、前記仕分け機構が、前記仕分け判断手段の判断に基づいて複数の写真プリントを仕分けてもよい。
【００１４】
この構成によると、プリントシステムにおいて、３つの以上のオーダーを並列して処理する場合であっても、写真プリントを３つ以上の載置個所にオーダー毎に仕分けることができる。
【００１５】
本発明のプリントシステムは、前記仕分け機構が、複数の前記載置個所となりうる移動可能な複数のトレイと、複数の前記トレイを、第１の位置から前記第１の位置と離隔した前記第２の位置に向かう方向、または前記第１の位置から前記第１の位置に対して前記第２の位置と反対側の第３の位置に向かう方向にそれぞれ移動させる移動機構とをさらに備えており、前記移動機構が、前記仕分け判断手段の判断に基づいて複数の前記トレイを移動させてもよい。
【００１６】
本発明のプリントシステムは、前記仕分け機構が、作成された写真プリントを、水平面内にある第１の方向及びこれとは逆方向である第２の方向のいずれかに向けて選択的に搬送するコンベアと、前記コンベアを駆動するコンベア駆動機構とを備えており、複数の前記載置個所が、前記コンベアによって前記第１の方向に搬送される写真プリントを受け取り可能な位置と、前記第２の方向に搬送される写真プリントを受け取り可能な位置とにそれぞれ設けられており、前記コンベア駆動機構が、前記仕分け判断手段の判断に基づいて前記コンベアによる写真の搬送方向を切り換えてもよい。
【００１７】
本発明のプリントシステムは、作成された写真プリントが排出される一又は複数の排出口に繋がる一又は複数の搬送経路に沿って用紙を搬送する搬送機構をさらに有しており、前記仕分け機構が、複数の前記排出口に繋がる複数の前記搬送経路のいずれかに、用紙が搬送される前記搬送経路を切り換える切換機構をさらに備えており、前記切換機構が、前記仕分け判断手段の判断に基づいて搬送経路を切り換えてもよい。
【００１８】
これらの構成によると、プリントシステムにおいて、複数のオーダーを並列して処理する場合に、簡易な機構で写真プリントをオーダー毎に仕分けることができる。
【発明を実施するための最良の形態】
【００１９】
以下、本発明の好適な実施の形態について、図面を参照しつつ説明する。図１は、本実施の形態に係るプリントシステムの概略構成を示す図である。
【００２０】
図１に示すように、プリントシステム１は、顧客から写真プリントの注文を受け付ける２台のプリント注文受付装置１０１と、写真プリントを作成する写真処理装置２０１とを備えている。本実施の形態のプリントシステム１は、ＤＰ店の既設の写真処理装置２０１に、イーサネット（登録商標）ケーブル３１０及びハブ３２０を含むデータ伝送ネットワーク３０１により、２台のプリント注文受付装置１０１を接続することによって構築されたものである。
【００２１】
プリントシステム１では、顧客が、持参したデジタルカメラで撮影された画像データファイルを保存したスマートメディア、コンパクトフラッシュ（登録商標）、メモリスティック（登録商標）や、個人で画像データファイルを保存したＣＤ−Ｒ、ＭＯ等の記録媒体（以降、まとめて「メディア」と称する）をプリント注文受付装置１０１にセットすると、プリント注文受付装置１０１が、セットされたメディアから画像データファイルを読み出すと共に、これらの画像データファイル及びこれらの画像データファイルに対して顧客が入力したプリントサイズ、プリント枚数、及補正値（後で詳述する）等の注文情報を写真処理装置２０１に送信し、写真処理装置２０１が、プリント注文受付装置１０１から受信した画像データファイル及び注文情報に基づいて写真プリントを作成する。
【００２２】
プリント注文受付装置１０１は、図２に示すように、プリント注文受付装置１０１を制御するコントローラ１２０を格納する筐体１１０と、筐体１１０の上面に配置されており、プリント注文受付装置１０１に関する様々な情報を表示して操作者（顧客）に告知するディスプレイ１４０とを備えている。ディスプレイ１４０の表面には、注文情報等を入力するためのタッチパネル１４１が形成されている。また、筐体１１０の前面（図２における紙面左手前側の面）には、各種メディアにそれぞれ対応する複数のメディアドライブ１５０が設けられている。メディアドライブ１５０は、セットされたメディアに記録された画像データファイルを読み出す。さらに、筐体１１０の上面には、受付証を印字する受付証印字プリンタ１６０が設けられている。
【００２３】
ここで、図３に、コントローラ１２０の主要部の構成を示す。図３に示すように、コントローラ１２０には、データ伝送ネットワーク３０１に接続するためのネットワークインターフェイス１３９が接続されている。また、コントローラ１２０は、番号付与部１２１、画像データ記憶部１２２、表示制御部１２３、注文情報記憶部１２４、顧客情報記憶部１２５、注文情報書換部１２６、及び送信部１２７を有している。
【００２４】
番号付与部１２１は、メディアドライブ１５０によって読み出された複数の画像データファイル、及び当該画像データファイルに対して顧客が入力した注文情報に、注文番号と枝番号とからなる整理番号をそれぞれ付与する。なお、注文情報には、当該注文情報に係る画像データファイルと同一の整理番号が付与される。ここで、注文番号とは、顧客によって一括注文された複数の画像データファイル（顧客が持参したメディアに記録された複数の画像データファイル）に共通する番号である。また、枝番号は、後述する注文画面４０（図１２、図１３参照）に同時に表示される複数のサムネイル画像に係る画像データファイル群に共通する番号である。ここで、本実施の形態では、注文画面４０に同時に表示可能なサムネイル画像の数は８コマである。したがって、８コマ分の画像に対応する画像データファイルに対して、１つの画像データファイル群として共通の枝番号が付与される。
【００２５】
画像データ記憶部１２２は、メディアドライブ１５０によって読み出された複数の画像データファイル、及び番号付与部１２１が各画像データファイルに付与した整理番号を記憶する。ここで、画像データ記憶部１２２のディレクトリ構成を図１７に示す。図１７に示すように、本実施の形態では、メディアからImage001.jpg〜Image020.jpgの２０個の画像データファイルが読み出される。そして、画像データ記憶部１２２は、２０個の画像データファイルを、Image001.jpg〜Image008.jpg、Image009.jpg〜Image016.jpg、Image017.jpg〜Image020.jpgの３つの画像データファイル群に分けてデータフォルダに格納する。各画像データファイル群が格納されるデータフォルダのフォルダ名は、番号付与部１２１によって画像データファイルに付与された整理番号となっている。ここで、図１７に示すように、画像データファイルImage001.jpg〜Image020.jpgの注文番号はｏ０００００１２であり、３つの画像データファイル群Image001.jpg〜Image008.jpg、Image009.jpg〜Image016.jpg、Image017.jpg〜Image020.jpgの枝番号はそれぞれ０１、０２、０３である。
【００２６】
表示制御部１２３は、ディスプレイ１４０に、後で詳述する初期画面１０（図９参照）、メディアセット案内画面２０（図１０参照）、プリントサイズ選択画面３０（図１１参照）、注文画面４０（図１２、図１３参照）、名前入力画面５０（図１４参照）、注文内容確認画面６０（図１５参照）、及び受付証発行画面７０（図１６参照）を表示する。また、表示制御部１２３は、８コマのサムネイル画像を含む注文画面４０を、画像データ記憶部１２２に記憶されている複数の画像データファイルに係る複数の画像のうち、未だディスプレイ１４０に表示されていない画像を含む別の注文画面４０に切り換える。
【００２７】
注文情報記憶部１２４は、顧客がタッチパネル１４１を用いて入力した各画像データファイルに対する注文情報、及び番号付与部１２１が注文情報に付与した整理番号を記憶する。注文情報記憶部１２４は、顧客が注文する写真プリントのサイズを記憶するプリントサイズ記憶部１２４ａと、画像データ記憶部１２２に記憶されている複数の画像データファイルに係る複数の画像のプリント枚数をそれぞれ記憶するプリント枚数記憶部１２４ｂと、各画像データファイルのＲ（赤）、Ｇ（緑）、Ｂ（青）の各色及び濃度の補正値をそれぞれ記憶する補正値記憶部１２４ｃとを有している。なお、本実施の形態では、プリントサイズ記憶部１２４ａには、デフォルトでＬ版サイズでプリントされるように記憶されている。また、プリント枚数記憶部１２４ｂには、デフォルトで各画像が１枚ずつプリントされるように記憶されている。さらに、補正値記憶部１２４ｃには、デフォルトでいずれの補正値もゼロと記憶されている。顧客情報記憶部１２５は、図１４に示す名前入力画面５０で顧客が入力した名前を記憶する。
【００２８】
注文情報書換部１２６は、プリントサイズ書換部１２６ａと、プリント枚数書換部１２６ｂと、補正値書換部１２６ｃとを有している。プリントサイズ書換部１２６ａは、プリントサイズ記憶部１２４ａに記憶されているプリントサイズを、図１１に示すプリントサイズ選択画面３０で顧客が選択したプリントサイズに書き換える。プリント枚数書換部１２６ｂは、プリント枚数記憶部１２４ｂに記憶されている各画像のプリント枚数を、図１２、図１３に示す注文画面４０で各画像に対して顧客が入力したプリント枚数に書き換える。補正値書換部１２６ｃは、補正値記憶部１２４ｃに記憶されている各画像データファイルの補正値を、図１２、図１３に示す注文画面４０で各画像に対して顧客が入力した補正値に書き換える。
【００２９】
送信部１２７は、タッチパネル１４１を用いて、８コマのサムネイル画像を含む注文画面４０を別のサムネイル画像を含む別の注面画面４０に切り換えるための操作が顧客によって行われた際、及び注文画面４０を名前入力画面５０に切り換えるための操作が顧客によって行われた際に、タッチパネル１４１の操作が行われた時点で注文画面４０に表示されていたサムネイル画像に係る画像データファイル群、それらのサムネイル画像に対して顧客が入力した注文情報、及びその画像データファイル群に含まれる画像データファイルに付与された整理番号（以降、まとめて「プリント情報」と称する）を写真処理装置２０１に送信する。なお、プリント不要の画像データファイル、即ちプリント枚数記憶部１２４ｂにゼロ枚と記憶されている画像データファイルは、写真処理装置２０１に送信されない。
【００３０】
次に、図４を参照しつつ、写真処理装置２０１の概略構成について説明する。図４に示すように、写真処理装置２０１は、インターフェイス部２１０と、フィルムスキャナ２２０と、コントローラ２３０と、プリンタプロセッサ２５０と、仕分けユニット２６０とを有している。
【００３１】
インターフェイス部２１０では、写真処理装置２０１とそれを操作するオペレータとの間の情報のやり取りが行われる。インターフェイス部２１０は、写真処理装置２０１に関する様々な情報を表示してオペレータに告知するディスプレイ２１１と、オペレータが写真処理装置２０１に対して指示を与えるキーボード２１２やマウス２１３からなる入力デバイスとを有している。
【００３２】
フィルムスキャナ２２０は、写真フィルムを副走査方向（図４において矢印Ａで示す方向）に一定速度で搬送するフィルムキャリア２２１と、フィルムキャリア２２１によって搬送される写真フィルムに光を照射する光源２２２と、写真フィルムを透過した光を受光するように配置されており、写真フィルムのコマ画像を光電変換するためのＣＣＤラインセンサユニット２２６と、ＣＣＤラインセンサユニット２２６の出力信号を処理する図示しない処理回路とを有している。
【００３３】
ＣＣＤラインセンサユニット２２６は、約５０００個の受光部を写真フィルムの幅方向に配列したＣＣＤラインセンサを３列に並べて備えており、各ＣＣＤラインセンサの受光面にはそれぞれ赤色、緑色、青色のカラーフィルタが形成されて、写真フィルムのコマ画像を色分解して検出する。処理回路は、ＣＣＤラインセンサユニット２２６の出力アナログ信号を増幅した後Ａ／Ｄ変換を行って出力する。従って、フィルムスキャナ２２０では、フィルムキャリア２２１に写真フィルムがセットされると、搬送される写真フィルム上のコマ画像が順次読み取られて、赤色、緑色、青色毎のデジタル画像データファイルがコントローラ２３０に対して送信される。
【００３４】
コントローラ２３０では、写真処理装置２０１の制御が行われる。コントローラ２３０には、データ伝送ネットワーク３０１に接続するためのネットワークインターフェイス２４９が接続されている。さらに、コントローラ２３０には、ＣＤ−Ｒ（Compact Disc-Recordable：１度だけ書き込み可能な追記型ＣＤ）に対してデータの読み書きを行うＣＤ−Ｒドライブ２７１が接続されている。
【００３５】
なお、本実施の形態の写真処理装置２０１では、ＣＤ−Ｒドライブ２７１が接続されていることにより、顧客が持参したメディアに記録されている画像データファイル、またはフィルムスキャナ２２０から取り込まれた画像データファイルをＣＤ−Ｒに書き込むサービスを提供することができるが、本発明に関連しないので、説明は省略する。
【００３６】
ここで、図６に、コントローラ２３０の主要部の構成を示す。図６に示すように、コントローラ２３０は、データ前処理部２３１、画像データ記憶部２３２、注文情報記憶部２３３、画像処理部２３４、搬送制御部２３５、切断制御部２３６、露光制御２３７、及び仕分け制御部２３８を有している。
【００３７】
データ前処理部２３１は、プリント注文受付装置１０１から受信したプリント情報を、画像データファイルと注文情報とに区分けする。そして、画像データファイルは、対応する整理番号と共に画像データ記憶部２３２に転送される。また、注文情報は、対応する整理番号と共に注文情報記憶部２３３に転送される。
【００３８】
画像データ記憶部２３２は、データ前処理部２３１から転送された画像データファイル及び整理番号を記憶する。なお、写真処理装置２０１の画像データ記憶部２３２のディレクトリ構成は、プリント注文受付装置１０１の画像データ記憶部１２２と同様であり、注文画面４０に同時に表示される複数のサムネイル画像に係る画像データファイル群（送信部１２７によって一括送信される画像データファイル群）が１つのデータフォルダに格納される。そして、各画像データファイル群が格納されるデータフォルダのフォルダ名は、番号付与部１２１によって画像データファイルに付与された整理番号となっている。注文情報記憶部２３３は、データ前処理部２３１から転送された注文情報及び整理番号を記憶する。
【００３９】
画像処理部２３４は、画像データ記憶部２３２に記憶されている画像データファイルに対して、必要に応じてプリントサイズに合致した画像サイズに変換するための処理や鮮鋭化処理などの各種の画像処理を施す。
【００４０】
搬送制御部２３５は、注文情報記憶部２３３に記憶されている注文情報通りに写真プリントが作成されるように、後述する搬送ローラ対２５７の動作を制御する。切断制御部２３６は、注文情報記憶部２３３に記憶されている注文情報通りに写真プリントが作成されるように、後述するカッター２５５の動作を制御する。露光制御部２３７は、画像処理部２３４によって画像処理が施された画像データファイルに係る画像の潜像が印画紙に形成されるように、後述する露光ユニット２５６を制御する。
【００４１】
仕分け制御部２３８は、プリント注文受付装置１０１から送信された整理番号に基づいて、顧客によって一括注文された複数の画像データファイルに係る複数の写真プリントが同一のトレイ２６５（後述する）に載置され、且つ互いに異なる一括注文に係る複数の写真プリントがそれぞれ別のトレイ２６５に載置されるように後述する仕分けユニット２６０を制御する。そして、仕分け制御部２３８は、仕分け判断部２３８ａと、トレイ移動制御部２３８ｂとを有している。
【００４２】
仕分け判断部２３８ａは、プリント注文受付装置１０１から送信された整理番号に基づいて、印画紙にプリントされた画像に係る注文番号について、直前に排出口２５９ａ（後述する）から排出された写真プリントに係る注文番号と同一か否か、且つ直前に排出された写真プリントに係る注文番号と同一でないと判断した場合には、以前に排出された写真プリントに同一のものがあるか否かを判断する。トレイ移動制御部２３８ｂは、仕分け判断部２３８ａの判断に基づいて、トレイを移動させるモータ２６９（後述する）を制御する。
【００４３】
図４に戻って、プリンタプロセッサ２５０は、コントローラ２３０から送信された画像処理済みの画像データファイルに基づいて、印画紙に対して露光を行うプリンタ２５１と、露光済みの印画紙に対して現像、漂白、安定化などの処理が施されるプロセッサ２５２と、プロセッサ２５２から排出された印画紙を乾燥させる仕上げ処理部２５３とを有している。なお、プリンタ２５１、プロセッサ２５２、及び仕上げ処理部２５３は、いずれも遮光された筐体２５９内に配置されている。そして、筐体２５９内には、排出口２５９ａに繋がる搬送経路が形成されており、複数の搬送ローラ対２５７によって搬送経路に沿って筐体２５９内を搬送される印画紙に対して、プリンタ２５１、プロセッサ２５２、及び仕上げ処理部２５３による処理が順次施される。
【００４４】
プリンタ２５１は、印画紙を収納するペーパーマガジン２５４と、搬送ローラ対２５７によって搬送される印画紙をプリントサイズにカットするカッター２５５と、カッター２５５によってカットされた印画紙に対して露光処理を施し、画像処理部２３９によって画像処理が施された画像データファイルに対応する画像の潜像を形成する露光ユニット２５６とを有している。なお、露光ユニット２５６は、例えばレーザ露光方式、ＰＬＺＴ方式、ＣＲＴ方式など適宜のものを採用することができる。
【００４５】
そして、プリンタ２５１において潜像が形成された印画紙は、プロセッサ２５２を経て仕上げ処理部２５３へと搬送され、仕上がりの写真プリントとして排出口２５９ａを介して筐体２５９から排出される。
【００４６】
仕分けユニット２６０は、プリンタプロセッサ２５０で作成された写真プリントを、顧客によって一括注文されたもの毎に仕分けする。そして、図５に示すように、仕分けユニット２６０は、コンベア２６１と、ソータ２６２とを有している。
【００４７】
コンベア２６１は、排出口２５９ａの下方において、筐体２５９の外壁から突設されている。したがって、排出口２５９ａから排出された写真プリントは、コンベア２６１に供給される。また、コンベア２６１は、モータ２６８（図６参照）によって１方向に回転駆動される一対のシャフト２６１ａ、２６１ｂと、シャフト２６１ａ、２６１ｂに架け渡されたベルト２６１ｃとを有している。よって、コンベア２６１は、供給された写真プリントを水平面内にある１方向（図１において矢印で示す方向）に搬送する。ソータ２６２は、コンベア２６１の写真プリントの搬送方向下流側の端部近傍に配置されている。
【００４８】
ここで、ソータ２６２の構成を詳細に示す断面図である図５を用いて、ソータ２６２の構成について説明する。図５に示すように、ソータ２６２は、モータ２６９（図６参照）によって回転駆動される一対のスプロケット２６３ａ、２６３ｂと、これらスプロケット２６３ａ、２６３ｂに架張されて反時計回り及び時計回りに循環駆動されるチェーン２６４と、チェーン２６４に支持された多数のトレイ２６５とを有している。したがって、複数のトレイ２６５は、チェーン２６４の循環駆動に伴って、反時計回り及び時計回りに回転可能である。また、チェーン２６４の駆動に伴って回転する複数のトレイ２６５は、コンベア２６１によってコンベア２６１の端部近傍まで搬送された写真プリントを受け取り可能な受取位置（図５において矢印で示す位置）をそれぞれ通過する。
【００４９】
スプロケット２６３ａ、２６３ｂ及びチェーン２６４は、ソータ筐体２６６内に配置されている。そして、図５に示すように、チェーン２６４よりも右側に位置するトレイ２６５は、ソータ筐体２６６内に収容されており、チェーン２６４よりも左側に位置するトレイ２６５は、ソータ筐体２６６外に現れている。
【００５０】
トレイ２６５は、チェーン２６４に接続された基部２６５ａと、軸２６５ｃを中心として回動可能に基部２６５ａに接続された先端部２６５ｂとから構成されている。基部２６５ａは、トレイ２６５が反時計回りに回転したときに、回転方向後ろ側に折れ曲がるように且つトレイ２６５の面とトレイ２６５よりもトレイ２６５の回転方向上流側に位置するチェーン２６４との間の角度が直角よりもやや小さい角度以上にならないように、チェーン２６４に対して回動可能に取り付けられている。先端部２６５ｂは、トレイ２６５が反時計回りに回転したときに、回転方向後ろ側に折れ曲がるような方向にのみ軸２６５ｃを中心として回動する。そのため、チェーン２６４よりも左側では、基部２６５ａはチェーン２６４に対して直角よりもやや小さい角度をなして上方に突出し、先端部２６５ｂはチェーン２６４に対して折れ曲がっていない一直線状態となる。そのため、コンベア２６１からソータ２６２に供給された写真プリントは折れ曲がっていないトレイ２６５に与えられる。また、チェーン２６４よりも右側では、基部２６５ａおよび先端部２６５ｂはともに折れ曲がり、トレイ２６５は折り畳み状態となるため、チェーン２６４からソータ筐体２６６までの距離を小さくすることができる。
【００５１】
なお、本実施の形態の写真処理装置２０１では、データ伝送ネットワーク３０１によって接続されている２台のプリント注文受付装置１０１からそれぞれ送信される画像データファイルのプリント処理を並列して行うことができる。また、２台のプリント注文受付装置１０１からそれぞれ信される画像データファイルのプリント処理に加えて、フィルムスキャナ２２０から送信される画像データファイルのプリント処理を並列して行うこともできる。
【００５２】
ここで、本実施の形態のプリントシステム１において、写真プリントを作成する手順について説明する。まず、図７及び図８を用いて、プリント注文受付装置１０１における処理手順について説明する。図７は、プリント注文受付装置１０１において写真プリントの注文を受け付ける手順を示すフローチャートである。図８は、図７に示すフローチャート中に行われる割り込み処理の手順を示すフローチャートである。
【００５３】
まず、表示制御部１２３によって、ディスプレイ１４０に、図９に示すような初期画面１０が表示される（ステップＳ１０１）。初期画面１０には、図９に示すように、写真プリントの注文を希望する顧客に対して、タッチパネル１４１となっているディスプレイ１４０の画面に触れるように促すメッセージが表示される。そして、顧客がディスプレイ１４０の画面に触れたか否かが判断される（ステップＳ１０２）。
【００５４】
顧客がディスプレイ１４０の画面に触れていないと判断された場合には（ステップＳ１０２：ＮＯ）、ディスプレイ１４０の画面に触れたと判断されるまで、ステップＳ１０２の判断が繰り返される。一方、顧客がディスプレイ１４０の画面に触れたと判断された場合には（ステップＳ１０２：ＹＥＳ）、表示制御部１２３によって、ディスプレイ１４０に、図１０に示すようなメディアセット案内画面２０が表示される（ステップＳ１０３）。メディアセット案内画面２０には、図１０に示すように、顧客に対して、持参したメディアをメディアドライブ１５０にセットし、画面右下に表示されているＯＫボタン２１を押すように促すメッセージが表示される。
【００５５】
その後、後で詳述する割り込み処理が開始される（ステップＳ１０４）。引き続いて、メディアセット案内画面２０のＯＫボタン２１が操作されたか否かが判断される（ステップＳ１０５）。ＯＫボタン２１が操作されていないと判断された場合には（ステップＳ１０５：ＮＯ）、ＯＫボタン２１が操作されたと判断されるまで、ステップＳ１０５の判断が繰り返される。一方、ＯＫボタン２１が操作されたと判断された場合には（ステップＳ１０５：ＹＥＳ）、メディアドライブ１５０によって、セットされたメディアに記録された画像データファイルが読み出される（ステップＳ１０６）。さらに、番号付与部１２１によって、メディアから読み出された複数の画像データファイルに対して、整理番号がそれぞれ付与される（ステップＳ１０７）。
【００５６】
次いで、表示制御部１２３によって、ディスプレイ１４０に、図１１に示すようなプリントサイズ選択画面３０が表示される（ステップＳ１０８）。プリントサイズ選択画面３０には、図１１に示すように、Ｌ版、２Ｌ版、六つ切の３つのプリントサイズの大きさ、単価、基本料金がそれぞれ表示される。また、Ｌ版選択ボタン３１、２Ｌ版選択ボタン３２、及び六つ切選択ボタン３３が表示される。
【００５７】
続いて、Ｌ版選択ボタン３１、２Ｌ版選択ボタン３２、または六つ切選択ボタン３３のいずれか１つが操作され、プリントサイズが選択されたか否かが判断される（ステップＳ１０９）。プリントサイズが選択されていないと判断された場合には（ステップＳ１０９：ＮＯ）、プリントサイズが選択されたと判断されるまで、ステップＳ１０９の判断が繰り返される。一方、プリントサイズが選択されたと判断された場合には（ステップＳ１０９：ＹＥＳ）、プリントサイズ書換部１２６ａによって、プリントサイズ記憶部１２４ａに記憶されているプリントサイズが選択されたプリントサイズに書き換えられる（ステップＳ１１０）。
【００５８】
その後、メディアから読み出された複数の画像データファイルが、画像データ記憶部１２２に記憶される（ステップＳ１１１）。このとき、各画像データファイルは、番号付与部１２１によって付与された整理番号に対応するフォルダ名のデータフォルダに格納される。
【００５９】
次いで、表示制御部１２３によって、ディスプレイ１４０に、図１２に示すような注文画面４０が表示される（ステップＳ１１２）。注文画面４０には、図１２に示すように、８コマのサムネイル画像と各サムネイル画像のプリント枚数とが表示される。また、各サムネイル画像のプリント枚数を増加させる増加ボタン４１及び減少させる減少ボタン４２が表示される。さらに、注文画面４０の右上には、各サムネイル画像に係る画像データファイルに対して、Ｒ、Ｇ、Ｂの各色及び濃度の補正値をそれぞれ増加させる増加ボタン４３ａ、４３ｂ、４３ｃ、４３ｄ、及び減少させる減少ボタン４４ａ、４４ｂ、４４ｃ、４４ｄが表示されている。なお、補正値を入力する際には、まず、タッチパネル１４１の補正値を入力するサムネイル画像が表示されている部分に触れる。このとき、触れられた画像は、図１２の注文画面４０の左上のサムネイル画像のように、選択された状態となる。この状態で、増加ボタン４３ａ〜４３ｄまたは減少ボタン４４ａ〜４４ｄを操作することによって補正値を入力することができる。加えて、注文画面４０の右下には、注文画面４０を未だディスプレイ１４０表示されていないサムネイル画像を含む別の注文画面４０に切り換えるための切換ボタン４５が表示される。
【００６０】
なお、メディアから読み読み出され、画像データ記憶部１２２に記憶された複数の画像データファイルに係る複数のサムネイル画像のうち、未だディスプレイ１４０に表示されていないサムネイル画像が８コマ以下である場合には、図１３に示すような最終ページの注文画面４０が表示される。注文画面４０の最終ページには、図１２に示す（最終ページでない）注文画面４０と同様に、サムネイル画像（８コマ以下）と、各サムネイル画像のプリント枚数と、プリント枚数を増減させる増加ボタン４１及び減少ボタン４２と、補正値を増減させる増加ボタン４３ａ〜４３ｄ及び減少ボタン４４ａ〜４４ｄが表示される。さらに、最終ページの注文画面４０の右下には、図１３に示すように、ＯＫボタン４６が表示される。
【００６１】
続いて、増加ボタン４１または減少ボタン４２が操作されて、プリント枚数が入力されたか否かが判断される（ステップＳ１１３）。プリント枚数の入力が行われていないと判断された場合には（ステップＳ１１３：ＮＯ）、後述するステップＳ１１４を省略してステップＳ１１５に進む。一方、プリント枚数の入力が行われたと判断された場合には（ステップＳ１１３：ＹＥＳ）、プリント枚数書換部１２６ｂによって、プリント枚数記憶部１２４ｂに記憶されているプリント枚数が入力されたプリント枚数に変更される（ステップＳ１１４）。
【００６２】
さらに、増加ボタン４３ａ〜４３ｄまたは減少ボタン４４ａ〜４４ｄが操作されて、補正値が入力されたか否かが判断される（ステップＳ１１５）。補正値の入力が行われていないと判断された場合には（ステップＳ１１５：ＮＯ）、後述するステップＳ１１６を省略してステップＳ１１７に進む。一方、補正値の入力が行われたと判断された場合には（ステップＳ１１５：ＹＥＳ）、補正値書換部１２６ｃによって、補正値記憶部１２４ｃに記憶されている補正値が入力された補正値に変更される（ステップＳ１１６）。
【００６３】
その後、切換ボタン４５（またはＯＫボタン４６）が押されたか否かが判断される（ステップＳ１１７）。切換ボタン４５（またはＯＫボタン４６）が押されていないと判断された場合には（ステップＳ１１７：ＮＯ）、ステップＳ１１３に戻り、再びプリント枚数の入力が行われたか否かが判断される。一方、切換ボタン４５（またはＯＫボタン４６）が押されたと判断された場合には（ステップＳ１１７：ＹＥＳ）、切り換えボタン４５（またはＯＫボタン４６）が押された時点で表示されていた注文画面４０に含まれる８コマのサムネイル画像に対応するプリント情報が、すぐに送信部１２７によって写真処理装置２０１に送信される（ステップＳ１１８）。
【００６４】
続いて、ディスプレイ１４０に表示されている注文画面４０が最終ページであるか否かが判断される（ステップＳ１１９）。注文画面４０が最終ページでないと判断された場合には（ステップＳ１１９：ＮＯ）、注文画面４０が、画像データ記憶部１２２に記憶された複数の画像データファイルに係る複数のサムネイル画像のうち、未だディスプレイ１４０に表示されていないサムネイル画像を含む別の注文画面４０に切り換えられる（ステップＳ１２０）。そして、上述のステップＳ１１３に戻り、再びプリント枚数が入力されたか否かが判断される。
【００６５】
一方、注文画面４０が最終ページであると判断された場合には（ステップＳ１１９：ＹＥＳ）、表示制御部１２３によって、ディスプレイ１４０に、図１４に示すような名前入力画面５０が表示される（ステップＳ１２１）。名前入力画面５０には、図１４に示すように、名前を入力する入力キー５１と、入力キー５１から入力された名前を表示する表示部５２とが表示される。また、名前入力画面５０の右下には、ＯＫボタン５３が表示される。
【００６６】
そして、顧客が入力キー５１を用いて名前を入力し、ＯＫボタン５３を押したか否かが判断される（ステップＳ１２２）。ＯＫボタン５３が押されていないと判断された場合には（ステップＳ１２２：ＮＯ）、ＯＫボタン５３が押されたと判断されるまで、ステップＳ１２２での判断が繰り返される。一方、ＯＫボタン５３が押されたと判断された場合には（ステップＳ１２２：ＹＥＳ）、名前入力画面５０で入力された名前が、顧客情報記憶部１２５に記憶される（ステップＳ１２３）。
【００６７】
続いて、表示制御部１２３によって、ディスプレイ１４０に、図１５に示すような注文内容確認画面６０が表示される（ステップＳ１２４）。注文内容確認画面６０には、図１５に示すように、顧客の名前、顧客がプリントを注文した画像データファイルに付与された注文番号及び枝番号、プリントサイズ、プリント枚数、料金等が表示される。また、注文内容確認画面６０の右下には、ＯＫボタン６１が表示される。
【００６８】
ここで、顧客が、注文内容確認画面６０に表示された内容を確認し、ＯＫボタン６１を押したか否かが判断される（ステップＳ１２５）。ＯＫボタン６１が押されていないと判断された場合には（ステップＳ１２５：ＮＯ）、ＯＫボタン６１が押されたと判断されるまで、ステップＳ１２５の判断が繰り返される。一方、ＯＫボタン６１が押されたと判断された場合には（ステップＳ１２５：ＹＥＳ）、表示制御部１２３によって、ディスプレイ１４０に、図１６に示すような受付証発行画面７０が表示される（ステップＳ１２６）。受付証発行画面７０には、図１６に示すように、顧客に対してメディアドライブ１５０からメディアを取り出すように促すメッセージと、受付証を発行していることを告知するメッセージとが表示される。続いて、受付証印字プリンタ１６０によって、受付証が発行される（ステップＳ１２７）。
【００６９】
次いで、図８を用いて、図７のフローチャートのステップＳ１０４で開始される割り込み処理の手順について説明する。ここで行われる割り込み処理は、図１０〜図１５に示す、メディアセット案内画面２０、プリントサイズ選択画面３０、注文画面４０、名前入力画面５０、及び注文内容確認画面６０の右下にそれぞれ表示される戻るボタン９１と、左下にそれぞれ表示される中止ボタン９２との操作に関する処理であり、図７のフローチャートのステップＳ１０５〜ステップＳ１２５の処理と並行して行われる。
【００７０】
まず、戻るボタン９１が操作されたか否かが判断される（ステップＳ２０１）。戻るボタン９１が操作されたと判断された場合には（ステップＳ２０１：ＹＥＳ）、表示制御部１２３によって、ディスプレイ１４０に表示される画面が、直前に表示していた画面に切り換えられる（ステップＳ２０２）。具体的には、例えば、１ページ目の注文画面４０の戻るボタン９１が操作された場合には、プリントサイズ選択画面３０に切り換えられる。また、例えば、１ページ目でない注文画面４０の戻るボタン９１が操作された場合には、直前に表示した注文画面４０に切り換えられる。
【００７１】
そして、ステップＳ２０２で切り換えられた画面が、初期画面１０であるか否か判断される（ステップＳ２０３）。初期画面１０であると判断された場合には（ステップＳ２０３：ＹＥＳ）、割り込み処理が終了する。また、初期画面１０でないと判断された場合には（ステップＳ２０３：ＮＯ）、上述のステップＳ２０１に戻り、再び戻るボタン９１の操作が行われたか否かの判断が行われる。
【００７２】
一方、戻るボタン９１が操作されていないと判断された場合には（ステップＳ２０１：ＮＯ）、中止ボタン９２が操作されたか否かが判断される（ステップＳ２０４）。中止ボタン９２が操作されたと判断された場合には（ステップＳ２０４：ＹＥＳ）、表示制御部１２３によって、ディスプレイ１４０に表示される画面が、初期画面１０に切り換えられる（ステップＳ２０５）。また、中止ボタン９２が操作されなかったと判断された場合には（ステップＳ２０４：ＮＯ）、ステップＳ２０１に戻って、再び戻るボタン９１が操作されたか否かの判断が繰り返される。
【００７３】
このように、割り込み処理は、ディスプレイ１４０にメディアセット案内画面２０、プリントサイズ選択画面３０、注文画面４０、名前入力画面５０、または注文内容確認画面６０が表示されなくなるまで行われる。
【００７４】
次に、図１８を用いて、写真処理装置２０１における処理手順について説明する。図１８は、写真処理装置２０１において写真プリントを作成する手順、より詳細には、プリント注文受付装置１０１から一括送信された画像データファイル群に係る写真プリントを作成する手順を示すフローチャートである。
【００７５】
まず、プリント注文受付装置１０１からプリント情報を受信する（ステップＳ３０１）。次に、プリント情報が、データ前処理部２３１によって、画像データファイルと注文情報とに区分けされる（ステップＳ３０２）。そして、画像データファイル群は整理番号と共に画像データ記憶部２３２に転送／記憶され、注文情報は整理番号と共に注文情報記憶部２３３に転送／記憶される。（ステップＳ３０３）。このとき、プリント注文受付装置１０１から一括送信された画像データファイル群は、１つのデータフォルダに格納される。
【００７６】
続いて、画像処理部２３４によって、画像データ記憶部２３２に記憶された画像データファイルに対して、各種画像処理が施される（ステップＳ３０４）。その後、複数の搬送ローラ対２５７によって、印画紙の搬送が開始される。（ステップＳ３０５）。次いで、カッター２５５によって、印画紙が、注文情報記憶部２３３に記憶されている注文情報に含まれるプリントサイズに切断される（ステップＳ３０６）。さらに、露光ユニット２５６によって、露光処理が施され、画像処理済みの画像データファイルに係る画像の潜像が形成される（ステップＳ３０７）。
【００７７】
次いで、潜像が形成された印画紙が、プリンタ２５１からプロセッサ２５２に送り込まれ、現像・漂白・安定化などの処理が施される（ステップＳ３０８）。その後、画像が顕在化した印画紙が、プロセッサ２５２から仕上げ処理部２５３に送り込まれ、乾燥処理が施される（ステップＳ３０９）。
【００７８】
ここで、仕分け判断部２３８ａによって、仕上げ処理部２５３による乾燥処理が終了し、排出口２５９ａから排出される写真プリントについて、プリントされている画像に係る注文番号が、直前に排出口２５９ａから排出された写真プリントに係る注文番号と同一か否かが判断される（ステップＳ３１０）。直前の写真プリントに係る注文番号と同一であると判断された場合には（ステップＳ３１０：ＹＥＳ）、後述するステップＳ３１１〜ステップＳ３１３の処理を省略して、ステップＳ３１４に進む。
【００７９】
一方、直前の写真プリントに係る注文番号と同一でないと判断された場合には（ステップＳ３１０：ＮＯ）、仕分け判断部２３８ａによって、以前に排出した写真プリントに係る注文番号に同一のものがあるか否かが判断される（ステップＳ３１１）。以前に排出した写真プリントに係る注文番号に同一のものがないと判断された場合には（ステップＳ３１１：ＮＯ）、複数のトレイ２６５のうち、写真プリントが載置されていないトレイ２６５が受取位置となるように、トレイ移動制御部２３８ｂがモータ２６９の駆動を制御し、チェーン２６４を反時計回りに循環駆動させる（ステップＳ３１２）。その後、後述するステップＳ３１４に進む。
【００８０】
また、以前に排出した写真プリントに係る注文番号に同一のものがあると判断された場合には（ステップＳ３１１：ＹＥＳ）、複数のトレイ２６５のうち、その注文番号に対応する写真プリントが載置されているトレイ２６５が受取位置となるように、トレイ移動制御部２３８ｂがモータ２６９の駆動を制御し、チェーン２６４を反時計回りまたは時計回りに循環駆動させる（ステップＳ３１３）。
【００８１】
その後、写真プリントが排出口２５９ａから排出され、コンベア２６１に供給される（ステップＳ３１４）。コンベア２６１に供給された写真プリントは、コンベア２６１の写真プリントの搬送方向下流側の端部まで搬送され、受取位置に位置するトレイ２６５に載置される。つまり、排出口２５９ａから排出された写真プリントは、同一の注文番号に係る画像データファイルに基づいてプリントされた写真プリントが同一のトレイ２６５に載置され、且つ互いに異なる注文番号に係る画像データファイルに基づいてプリントされた写真プリントがそれぞれ別のトレイ２６５に載置されるように仕分けられる（ステップＳ３１５）。
【００８２】
以上のように、本実施の形態のプリントシステム１では、プリント注文受付装置１０１の送信部１２７が、８コマ分のサムネイル画像を含む注文画面４０を別のサムネイル画像を含む別の注文画面４０に切り換えられる際に、切り換えられる前の注文画面４０に表示されていた８コマのサムネイル画像に係るプリント情報を写真処理装置２０１に送信する。したがって、メディアから読み出された全ての画像データファイルに対する注文情報の入力が完了するのを待つことなく、注文画面４０に同時に表示される８コマのサムネイル画像に係る画像データファイル群に対する注文情報の入力が完了した後、写真処理装置２０１において、この画像データファイル群に係る画像の写真プリントの作成を開始することができる。その結果、全ての画像データファイルに対する注文情報の入力が完了した後に写真プリントの作成を開始する場合と比べて、１枚目の写真プリントが早く仕上がる。これにより、顧客は、１枚目の写真プリントを早く手にすることができる。また、顧客は、残りの写真プリントが仕上がるまでの間、既に仕上がった写真プリントを観賞しながら待つことができる。その結果、写真プリントの仕上がりを待つ顧客の待たされ感を低減することができる。
【００８３】
また、本実施の形態のプリントシステム１では、排出口２５９ａから排出された写真プリントが、同一の注文番号に係る画像データファイルに基づいてプリントされた写真プリントが同一のトレイ２６５に載置され、且つ互いに異なる注文番号に係る画像データファイルに基づいてプリントされた写真プリントがそれぞれ別のトレイ２６５に載置される。これにより、顧客が一括注文する複数の画像データファイルのプリント処理が連続して行われず、写真処理装置２０１に順次送信された２つの画像データファイル群に係るプリント処理の間に、別の注文に係るプリント処理が行われた場合でも、一括注文された複数の画像データファイルに係る複数の写真プリントが同一のトレイ２６５に、しかも互いに異なる一括注文の複数の画像データファイルに係る複数の写真プリントがそれぞれ別にトレイ２６５に載置される。したがって、排出された写真プリントを手作業でオーダー毎に仕分ける必要がないので、写真処理装置２０１のオペレータの負担を軽減することができる。
【００８４】
また、本実施の形態のプリントシステム１は、仕分け判断部２３８ａが、排出口２５９ａから排出される写真プリントに係る注文番号について、直前に排出された写真プリントに係る注文番号と同一か否か、且つ直前に排出された写真プリントに係る注文番号と同一でないと判断した場合には、以前に排出された写真プリントに同一のものがあるか否かを判断する。そして、トレイ移動制御部２３８ｂが、仕分け判断部２３８ａの判断に基づいて、モータ２６９を制御してトレイ２６５を移動させる。したがって、３つの以上のオーダーを並列して処理する場合であっても、写真プリントを３つ以上のトレイ２６５にオーダー毎に仕分けることができる。
【００８５】
さらに、本実施の形態のプリントシステム１では、仕分けユニット２６０が、複数のトレイ２６５を支持するチェーン２６４が架張されたスプロケット２６３ａ、２６３ｂを回転駆動させるモータ２６９を有している。チェーン２６４は、モータ２６９の駆動方向を切り換えることによって、反時計回り及び時計回りの２方向に循環駆動可能であり。トレイ２６５は、チェーン２６４の駆動に伴って２方向に回転可能である。また、仕分けユニット２６０は、排出口２５９ａから排出された写真プリントを受け取り、受取位置にあるトレイ２６５に受け渡すコンベア２６１を有している。したがって、写真処理装置２０１において、複数のオーダーを並列して処理する場合に、簡易な機構で写真プリントをオーダー毎に仕分けることができる。
【００８６】
次に、図１９、図２０を参照しつつ、本発明の第２の実施の形態に係るプリントシステムについて説明する。図１９は、本発明の第２の実施の形態に係るプリントシステムの仕分けユニットの概略構成を示す図である。図２０は、本発明の第２の実施の形態に係るプリントシステムが有する写真処理装置のコントローラの主要部の構成を示すブロック図である。
【００８７】
第２の実施の形態に係るプリントシステムの構成が、第１の実施の形態に係るプリントシステム１の構成と主に異なる点は、プリントシステム１が有する写真処理装置２０１の仕分けユニット２６０が、複数のトレイ２６５を支持するチェーン２６４が架張されたスプロケット２６３ａ、２６３ｂを回転駆動させるモータ２６９と、プリンタプロセッサ２５０の排出口２５９ａから排出された写真プリントを受け取ると共に、受け取った写真プリントを１方向に搬送し、受取位置にあるトレイ２６５に受け渡すコンベア２６１を有しているのに対して、本実施の形態のプリントシステムが有する写真処理装置の仕分けユニット５６０は、プリンタプロセッサ２５０の排出口２５９ａから排出された写真プリントを受け取ると共に、受け取った写真プリントを互いに逆方向である２方向に搬送し、その搬送方向両端部近傍に配置されたトレイ５６５に受け渡すコンベア５６１を有している点である。その他の構成については、図１に示すプリントシステム１とほぼ同様であるので、詳細な説明は省略する。なお、本実施の形態では、第１の実施の形態と同一の構成を有するものについては、第１の実施の形態と同一の符号を用いることとする。
【００８８】
図１９に示すように、仕分けユニット５６０が有するコンベア５６１は、排出口２５９ａの下方において、筐体２５９の外壁から突設されている。したがって、排出口２５９ａから排出された写真プリントは、コンベア５６１に供給される。また、コンベア５６１は、モータ５６２（図２０参照）によって反時計回り及び時計回りに回転駆動される一対のシャフト５６１ａ、５６１ｂと、シャフト５６１ａ、５６１ｂに架け渡されたベルト５６１ｃとを有している。したがって、モータ５６２の駆動を切り換えることによって、ベルト５６１ｃは反時計回り及び時計回りに循環駆動可能となっている。これにより、コンベア５６１に供給された写真プリントは、水平面内にある互いに逆方向である２方向（図１９において両矢印で示す方向）に搬送可能である。そして、コンベア５６１の写真プリントの搬送方向の両端部近傍には、コンベア５６１によって搬送された写真プリントを受け取り可能なトレイ５６５がそれぞれ配置されている。
【００８９】
また、本実施の形態の写真処理装置のコントローラ５３０は、データ前処理部５３１、画像データ記憶部５３２、注文情報記憶部５３３、画像処理部５３４、搬送制御部５３５、切断制御部５３６、露光制御５３７、及び仕分け制御部５３８を有している。なお、データ前処理部５３１、画像データ記憶部５３２、注文情報記憶部５３３、画像処理部５３４、搬送制御部５３５、切断制御部５３６、及び露光制御５３７の機能は、第１の実施の形態のデータ前処理部２３１、画像データ記憶部２３２、注文情報記憶部２３３、画像処理部２３４、搬送制御部２３５、切断制御部２３６、及び露光制御２３７の機能とそれぞれ同一である。
【００９０】
仕分け制御部５３８は、仕分け判断部５３８ａと、コンベア駆動制御部５３８ｂとを有している。仕分け判断部５３８ａは、プリント注文受付装置から送信された整理番号に基づいて、印画紙にプリントされた画像に係る注文番号について、直前に排出口２５９ａから排出された写真プリントに係る注文番号と同一か否かを判断する。コンベア駆動制御部５３８ｂは、仕分け判断部５３８ａの判断に基づいて、ベルト５６１ｃを循環駆動させるモータ５６２を制御する。
【００９１】
ここで、本実施の形態のプリントシステムにおいて、写真プリントを作成する手順について説明する。なお、プリント注文受付装置における処理手順については、第１の実施の形態と同様であるので、写真処理装置における処理手順についてのみ説明する。図２１は、写真処理装置において写真プリントを作成する手順、より詳細には、プリント注文受付装置から一括送信された画像データファイル群に係る写真プリントを作成する手順を示すフローチャートである。
【００９２】
図２１に示すステップＳ４０１〜ステップＳ４０９の処理手順は、図１８に示す第１の実施の形態の写真処理装置２０１における処理手順のステップＳ３０１〜ステップＳ３０９とそれぞれ同一であるので、説明を省略する。
【００９３】
ステップＳ４０９において印画紙に対して乾燥処理が施された後、仕分け判断部５３８ａによって、排出口２５９ａから排出される写真プリントについて、プリントされている画像に係る注文番号が、直前に排出口２５９ａから排出された写真プリントに係る注文番号と同一か否かが判断される（ステップＳ４１０）。直前の写真プリントに係る注文番号と同一であると判断された場合には（ステップＳ４１０：ＹＥＳ）、後述するステップＳ４１１の処理を省略して、ステップＳ４１２に進む。
【００９４】
一方、直前の写真プリントに係る注文番号と同一でないと判断された場合には（ステップＳ４１０：ＮＯ）、コンベア５６１による写真プリントの搬送方向が（直前の写真プリントが排出された際とは）逆向きとなるように、コンベア駆動制御部５３８ｂがモータ５６２の駆動を制御する（ステップＳ４１１）。
【００９５】
その後、写真プリントが排出口２５９ａから排出され、コンベア５６１に供給される（ステップＳ４１２）。コンベア５６１に供給された写真プリントは、コンベア５６１の写真プリントの搬送方向下流側の端部まで搬送され、当該端部近傍に配置されたトレイ５６５に載置される。つまり、排出口２５９ａから排出された写真プリントは、同一の注文番号に係る画像データファイルに基づいてプリントされた写真プリントが同一のトレイ５６５に、しかも互いに異なる一括注文の複数の画像データファイルに係る複数の写真プリントがそれぞれ別にトレイ２６５に載置されるように仕分けられる（ステップＳ４１３）。
【００９６】
以上のように、本実施の形態のプリントシステムは、第１の実施の形態のプリントシステム１と同様に、写真プリントの仕上がりを待つ顧客の待たされ感を低減することができると共に、オペレータの負担を軽減することができる。
【００９７】
次に、図２２、図２３を参照しつつ、本発明の第３の実施の形態に係るプリントシステムについて説明する。図２２は、本発明の第３の実施の形態に係るプリントシステムの仕分けユニットの概略構成を示す図である。図２３は、本発明の第３の実施の形態に係るプリントシステムが有する写真処理装置のコントローラの主要部の構成を示すブロック図である。
【００９８】
第３の実施の形態に係るプリントシステムの構成が、第１の実施の形態に係るプリントシステム１の構成と主に異なる点は、プリントシステム１が有する写真処理装置２０１の仕分けユニット２６０が、複数のトレイ２６５を支持するチェーン２６４が架張されたスプロケット２６３ａ、２６３ｂを回転駆動させるモータ２６９と、プリンタプロセッサ２５０の排出口２５９ａから排出された写真プリントを受け取ると共に、受け取った写真プリントを１方向に搬送し、受取位置にあるトレイ２６５に受け渡すコンベア２６１を有しているのに対して、本実施の形態のプリントシステムが有する写真処理装置の仕分けユニット７６０は、プリンタプロセッサ２５０の筐体２５９内に形成された、２つの排出口２５９ａ、２５９ｂに繋がる２つの搬送経路のいずれかに、印画紙が搬送される搬送経路を切り換える切換ガイド７６１を有している点である。その他の構成については、図１に示すプリントシステム１とほぼ同様であるので、詳細な説明は省略する。なお、本実施の形態では、第１の実施の形態と同一の構成を有するものについては、第１の実施の形態と同一の符号を用いることとする。
【００９９】
図２２（ａ）、図２２（ｂ）は、筐体２５９の排出口２５９ａ、２５９ｂ近傍の断面図である。図２２（ａ）、図２２（ｂ）に示すように、筐体２５９には、紙面上下方向に隣接するように２つの排出口２５９ａ、２５９ｂが形成されており、筐体２５９内には、排出口２５９ａに繋がる搬送経路（以降、「第１の搬送経路」と称する）と、排出口２５９ｂに繋がる搬送経路（以降、「第２の搬送経路」と称する）とが形成されている。より詳細には、第１の搬送経路に沿って搬送される印画紙は、複数の搬送ローラ対２５７によって、紙面下方から上方に向かって搬送された後、ターンローラ２５８によって搬送方向が約９０度左方に曲げられ、搬送口２５９ａに向かって搬送される。また、第２の搬送経路に沿って搬送される印画紙は、複数の搬送ローラ対２５７によって、紙面下方から上方に向かって搬送された後、ターンローラ２５８によって搬送方向が左下方向に曲げられ、搬送口２５９ｂに向かって搬送される。
【０１００】
仕分けユニット７６０が有する切換ガイド７６１は、板状部材であり、ターンローラ２５８の近傍に配置されている。切換ガイド７６１は、ガイド移動機構７６２（図２３参照）によって移動可能であり、図２２（ａ）に示すように、第１の搬送経路と並行に配置される状態と、図２２（ｂ）に示すように、第１の搬送経路を遮断し、ターンローラ２５８によって搬送方向が曲げられた印画紙を第２の搬送経路に導くように配置される状態とを選択的に取り得る。
【０１０１】
また、排出口２５９ａ、２５９ｂの下方には、筐体２５９の外壁から突設されたトレイ７６３ａ、７６３ｂがそれぞれ配置されている。したがって、排出口２５９ａ、２５９ｂから排出された写真プリントは、トレイ７６３ａ、７６３ｂにそれぞれ載置される。
【０１０２】
本実施の形態の写真処理装置のコントローラ７３０は、データ前処理部７３１、画像データ記憶部７３２、注文情報記憶部７３３、画像処理部７３４、搬送制御部７３５、切断制御部７３６、露光制御７３７、及び仕分け制御部７３８を有している。なお、データ前処理部７３１、画像データ記憶部７３２、注文情報記憶部７３３、画像処理部７３４、搬送制御部７３５、切断制御部７３６、及び露光制御７３７の機能は、第１の実施の形態のデータ前処理部２３１、画像データ記憶部２３２、注文情報記憶部２３３、画像処理部２３４、搬送制御部２３５、切断制御部２３６、及び露光制御２３７の機能とそれぞれ同一である。
【０１０３】
仕分け制御部７３８は、仕分け判断部７３８ａと、経路切換制御部７３８ｂとを有している。仕分け判断部７３８ａは、プリント注文受付装置から送信された整理番号に基づいて、印画紙にプリントされた画像に係る注文番号について、直前に筐体２５９から排出された写真プリントに係る注文番号と同一か否かを判断する。経路切換制御部７３８ｂは、仕分け判断部７３８ａの判断に基づいて、切換ガイド７６１の位置を移動させるガイド移動機構７６２を制御する。
【０１０４】
ここで、本実施の形態のプリントシステムにおいて、写真プリントを作成する手順について説明する。なお、プリント注文受付装置における処理手順については、第１の実施の形態と同様であるので、写真処理装置における処理手順についてのみ説明する。図２４は、写真処理装置において写真プリントを作成する手順、より詳細には、プリント注文受付装置から一括送信された画像データファイル群に係る写真プリントを作成する手順を示すフローチャートである。
【０１０５】
図２４に示すステップＳ５０１〜ステップＳ５０９の処理手順は、図１８に示す第１の実施の形態の写真処理装置２０１における処理手順のステップＳ３０１〜ステップＳ３０９とそれぞれ同一であるので、説明を省略する。
【０１０６】
ステップＳ５０９において印画紙に対して乾燥処理が施された後、仕分け判断部７３８ａによって、筐体２５９から排出される写真プリントについて、プリントされている画像に係る注文番号が、直前に筐体２５９から排出された写真プリントに係る注文番号と同一か否かが判断される（ステップＳ５１０）。直前の写真プリントに係る注文番号と同一であると判断された場合には（ステップＳ５１０：ＹＥＳ）、後述するステップＳ５１１の処理を省略して、ステップＳ５１２に進む。
【０１０７】
一方、直前の写真プリントに係る注文番号と同一でないと判断された場合には（ステップＳ５１０：ＮＯ）、写真プリントが直前の写真プリントが排出された排出口とは異なる排出口から排出されるように、経路切換制御部７３８ｂがガイド移動機構７６２を制御する（ステップＳ５１１）。
【０１０８】
その後、写真プリントが排出口２５９ａまたは排出口２５９ｂから排出され、トレイ７６３ａまたは７６３ｂに載置される（ステップＳ５１２）。つまり、筐体２５９から排出された写真プリントが、同一の注文番号に係る画像データファイルに基づいてプリントされた写真プリントが同一のトレイに、しかも互いに異なる一括注文の複数の画像データファイルに係る複数の写真プリントがそれぞれ別にトレイ２６５に載置されるように仕分けられる。
【０１０９】
以上のように、本実施の形態のプリントシステムは、第１の実施の形態のプリントシステム１と同様に、写真プリントの仕上がりを待つ顧客の待たされ感を低減することができると共に、オペレータの負担を軽減することができる。
【０１１０】
以上、本発明の好適な実施の形態について説明したが、本発明は上述の実施の形態に限られるものではなく、特許請求の範囲に記載した限りにおいて、様々な設計変更を行うことが可能なものである。例えば、上述の第１の実施の形態では、仕分け判断部２３８ａが、印画紙にプリントされた画像に係る注文番号について、直前に排出口２５９ａから排出された写真プリントに係る注文番号と同一か否か、且つ直前に排出された写真プリントに係る注文番号と同一でないと判断した場合には、以前に排出された写真プリントに同一のものがあるか否かを判断する場合について説明したが、これには限られない。例えば、写真処理装置２０１において、２つのオーダーの処理が並行して行われている場合には、仕分け判断部２３８ａは、印画紙にプリントされた画像に係る注文番号について、直前に排出口２５９ａから排出された写真プリントに係る注文番号と同一か否かのみを判断すればよい。
【０１１１】
また、上述の第３の実施の形態では、切換ガイド７６１が、２つの排出口２５９ａ、２５９ｂに繋がる第１及び第２の搬送経路のいずれかに、印画紙が搬送される搬送経路を切り換える場合について説明したが、これに限らず、切換ガイド７６１が、３つ以上の排出口にそれぞれ繋がる３つ以上の搬送経路のいずれかに、印画紙が搬送される搬送経路を切り換えるものであってもよい。なお、この場合には、仕分け判断部７３８ａは、印画紙にプリントされた画像に係る注文番号について、直前に筐体２５９から排出された写真プリントに係る注文番号と同一か否か、且つ直前に排出された写真プリントに係る注文番号と同一でないと判断した場合には、以前に排出された写真プリントに同一のものがあるか否かを判断する。
【０１１２】
さらに、上述の第１〜第３の実施の形態では、筐体から排出される複数の写真プリントが、仕分けユニットによって複数のトレイに仕分けられる場合について説明したが、これには限られない。トレイが設けられておらず、筐体から排出される複数の写真プリントが、仕分けユニットによって複数の載置個所に仕分けられてもよい。
【０１１３】
また、上述の第１〜第３の実施の形態では、整理番号が、顧客によって一括注文された複数の画像データファイルに共通の部分である注文番号と、注文画面４０に同時に表示された８コマ以下のサムネイル画像に係る画像データファイル群に共通の部分である枝番号とからなる場合について説明したが、これには限られない。整理番号は、顧客によって一括注文された複数の画像データファイルに共通の部分だけを含んでいてもよい。また、例えば、番号付与部が、複数の画像データファイルに対して、注文画面４０に同時に表示された８コマ以下のサムネイル画像に係る画像データファイル群毎に連続した整理番号を付与してもよい。つまり、顧客によって一括注文された複数の画像データファイルに付与された複数の整理番号が、共通の部分を含まなくてもよい。さらに、顧客によって一括注文された各画像データファイルに連続した整理番号を付与してもよい。つまり、１つの画像データファイル群に含まれる複数の画像データファイルに付与された複数の整理番号が、共通の部分を含まなくてもよい。このような場合であっても、これら複数の整理番号同士がプリント注文受付装置の例えば番号付与部が生成した結合データで互いに結合され、その結合データが受付機から写真処理装置に送られるようにすれば、上述した実施の形態と同様の利益が得られる。
【０１１４】
また、上述の第１〜第３の実施の形態では、ディスプレイの表面にタッチパネルが形成されており、顧客がタッチパネルに触れることによって、プリント注文受付装置に対して、注文情報の入力を行う場合について説明したが、プリント注文受付装置への注文情報の入力方法はこれには限られない。例えば、キーボードやマウスを用いてプリント注文受付装置への注文情報の入力を行うようにしてもよい。
【０１１５】
さらに、上述の第１〜第３の実施の形態では、写真処理装置のプリンタプロセッサ２５０において、露光・現像・漂白・安定化・乾燥などの処理を経て画像を形成し、写真プリントを作成する場合について説明したが、画像を形成する方法はこれには限られない。例えば、インクジェット式のプリンタで画像を形成するようにしてもよい。
【図面の簡単な説明】
【０１１６】
【図１】本発明の第１の実施の形態に係るプリントシステムの概略構成を示す図である。
【図２】図１に示すプリント注文受付装置の概略構成を示す図である。
【図３】図２に示すコントローラの主要部の構成を示すブロック図である。
【図４】図１に示す写真処理装置の概略構成を示す図である。
【図５】図１に示すソータの構成を示す断面図である。
【図６】図４に示すコントローラの主要部の構成を示すブロック図である。
【図７Ａ】図２に示すプリント注文受付装置において写真プリントの注文を受ける手順を示すフローチャート（前半）である。
【図７Ｂ】図２に示すプリント注文受付装置において写真プリントの注文を受ける手順を示すフローチャート（後半）である。
【図８】図７に示すフローチャート中で行われる割り込み処理の手順を示すフローチャートである。
【図９】図２に示すディスプレイに表示される初期画面を示す図である。
【図１０】図２に示すディスプレイに表示されるメディアセット案内画面を示す図である。
【図１１】図２に示すディスプレイに表示されるプリントサイズ選択画面を示す図である。
【図１２】図２に示すディスプレイに表示される注文画面を示す図である。
【図１３】図２に示すディスプレイに表示される注文画面（最終ページ）を示す図である。
【図１４】図２に示すディスプレイに表示される名前入力画面を示す図である。
【図１５】図２に示すディスプレイに表示される注文内容確認画面を示す図である。
【図１６】図２に示すディスプレイに表示される受付証発行画面を示す図である。
【図１７】図３に示す画像データ記憶部のディレクトリ構成を示す説明図である。
【図１８】図４に示す写真処理装置において写真プリントを作成する手順を示すフローチャートである。
【図１９】本発明の第２の実施の形態に係るプリントシステムが有する仕分けユニットの構成を示す図である。
【図２０】図１９に示す仕分けユニットを有する写真処理装置のコントローラの主要部の構成を示すブロック図である。
【図２１】図１９に示す仕分けユニットを有する写真処理装置において写真プリントを作成する手順を示すフローチャートである。
【図２２】本発明の第３の実施の形態に係るプリントシステムが有する仕分けユニットの構成を示す図である。
【図２３】図２２に示す仕分けユニットを有する写真処理装置のコントローラの主要部の構成を示すブロック図である。
【図２４】図２２に示す仕分けユニットを有する写真処理装置において写真プリントを作成する手順を示すフローチャートである。
【符号の説明】
【０１１７】
１  プリントシステム
４０  注文画面
１０１  プリント注文受付装置
１２０  コントローラ
１２１  番号付与部（番号付与手段）
１２３  表示制御部
１２７  送信部（プリント制御手段）
１４１  タッチパネル（入力部）
１５０  メディアドライブ（読み出し部）
２０１  写真処理装置
２３８  仕分け制御部（仕分け制御手段）
２３８ａ  仕分け判断部（仕分け判断手段）
２５０  プリンタプロセッサ
２５９ａ  排出口
２６０  仕分けユニット（仕分け機構）
２６１  コンベア
２６９  モータ（移動機構）
５６１  コンベア
５６２  モータ（コンベア駆動機構）
７６１  切換ガイド（切換機構）
【図１】
2006276546.tif 000003
【図２】
2006276546.tif 000004
【図３】
2006276546.tif 000005
【図４】
2006276546.tif 000006
【図５】
2006276546.tif 000007
【図６】
2006276546.tif 000008
【図７Ａ】
2006276546.tif 000009
【図７Ｂ】
2006276546.tif 000010
【図８】
2006276546.tif 000011
【図９】
2006276546.tif 000012
【図１０】
2006276546.tif 000013
【図１１】
2006276546.tif 000014
【図１２】
2006276546.tif 000015
【図１３】
2006276546.tif 000016
【図１４】
2006276546.tif 000017
【図１５】
2006276546.tif 000018
【図１６】
2006276546.tif 000019
【図１７】
2006276546.tif 000020
【図１８】
2006276546.tif 000021
【図１９】
2006276546.tif 000022
【図２０】
2006276546.tif 000023
【図２１】
2006276546.tif 000024
【図２２】
2006276546.tif 000025
【図２３】
2006276546.tif 000026
【図２４】
2006276546.tif 000027